(57)【要約】  【課題】  ドアバイザーとしての装飾的効果を損なうことなくバイザー本体とブラケットとを容易に連結できるようにした簡単で且つ構成部品点数が少なくて済む自動車用ドアバイザーにおけるブラケットの取付け構造を提供する。  【解決手段】  バイザー本体３の庇部３ｂの裏面に、庇部裏面との間にブラケット２の一端側を挿入するためのスリット７を形成する断面略門型の隆起部６と、隆起部からブラケット挿入方向へ離れた位置において庇部裏面から突出し且つブラケット挿入方向下手側ほど高くなる傾斜面ａを有する係止用突起８とを形成する一方、ブラケットの一端側には切欠部９を形成し、ブラケットの挿入に伴い、ブラケットの一端側がブラケットの弾性復元力に抗して前記傾斜面ａに乗り上げ、ブラケットの弾性復元力によって切欠部９が係止用突起８と係合するように構成する。  【選択図】  図４
2005170078.tif 000002
【特許請求の範囲】
【請求項１】
バイザー本体の庇部の裏面に、庇部裏面との間にブラケットの一端側を挿入するためのスリットを形成する断面略門型の隆起部と、隆起部からブラケット挿入方向へ離れた位置において庇部裏面から突出し且つブラケット挿入方向下手側ほど高くなる傾斜面を有する係止用突起とを形成する一方、ブラケットの一端側には、前記係止用突起と係合する切欠部を形成し、ブラケットの挿入に伴い、ブラケットの一端側がブラケットの弾性復元力に抗して前記傾斜面に乗り上げ、ブラケットの弾性復元力によって前記切欠部が係止用突起と係合するように構成したことを特徴とする自動車用ドアバイザーにおけるブラケットの取付け構造。
【請求項２】
ブラケットの一端側にブラケット挿入方向に沿った長孔状の切欠部が形成され、バイザー本体の庇部裏面に前記切欠部に対応する係止用突起が設けられていることを特徴とする請求項１に記載の自動車用ドアバイザーにおけるブラケットの取付け構造。
【請求項３】
長孔状の切欠部及び係止用突起がブラケットの幅方向に間隔をあけて複数ずつ形成されていることを特徴とする請求項２に記載の自動車用ドアバイザーにおけるブラケットの取付け構造。
【請求項４】
ブラケットの一端側の幅方向両縁に二つの切欠部が相対向して形成され、バイザー本体の庇部裏面に二つの切欠部に対応する係止用突起が相対向して設けられていることを特徴とする請求項１に記載の自動車用ドアバイザーにおけるブラケットの取付け構造。
【発明の詳細な説明】
【技術分野】
【０００１】
本発明は、自動車用ドアバイザーにおけるブラケットの取付け構造に関する。
【背景技術】
【０００２】
一般に、自動車用ドアバイザーは、図１１に示すように、合成樹脂製バイザー本体３のフランジ部をドアのサッシュＳの上辺部外側面に両面接着テープ４で接合し、サッシュＳの上辺部に装着された金属製ブラケット２の一端側をバイザー本体３の庇部に連結することによって取り付けるように構成されており、ブラケット２の一端側とバイザー本体３の庇部とは、金属製リベットや先端に拡径部を有するナイロンリベット１０で取り付けるように構成されている（特許文献１）。
【０００３】
この構成によれば、次のような問題点があった。
（１）リベット頭部がバイザー本体３の庇部表面に露出するため、見栄えが悪く、ドアバイザーとしての装飾的効果が損なわれる。
（２）ブラケット２とバイザー本体３の連結に別部材（ナイロンリベット１０等）を用いるため、部品点数が多く、コストも高く付く。
（３）リベット止めに専用の工具を必要とし、ユーザー側でのかしめ作業が困難であるため、製造者側でリベット止めして出荷する必要があり、これがコスト高の要因となっている。
（４）リベット止めするので、ドアバイザーを取り外して廃棄する際、ブラケット２とバイザー本体３の分離が容易でなく、樹脂と金属との分別廃棄が困難である。
【０００４】
【特許文献１】特開２００２−３６２１５２号公報
【発明の開示】
【発明が解決しようとする課題】
【０００５】
本発明は、上記の事柄に留意してなされたもので、その目的とするところは、ドアバイザーとしての装飾的効果を損なうことなくバイザー本体とブラケットとを容易に連結できるようにした簡単で且つ構成部品点数が少なくて済む自動車用ドアバイザーにおけるブラケットの取付け構造を提供することにある。
【課題を解決するための手段】
【０００６】
上記の目的を達成するために、本発明が講じた技術的手段は、次の通りである。即ち、請求項１に記載の発明は、バイザー本体の庇部の裏面に、庇部裏面との間にブラケットの一端側を挿入するためのスリットを形成する断面略門型の隆起部と、隆起部からブラケット挿入方向へ離れた位置において庇部裏面から突出し且つブラケット挿入方向下手側ほど高くなる傾斜面を有する係止用突起とを形成する一方、ブラケットの一端側には、前記係止用突起と係合する切欠部を形成し、ブラケットの挿入に伴い、ブラケットの一端側がブラケットの弾性復元力に抗して前記傾斜面に乗り上げ、ブラケットの弾性復元力によって前記切欠部が係止用突起と係合するように構成したことを特徴としている。
【０００７】
請求項２に記載の発明は、請求項１に記載の自動車用ドアバイザーにおけるブラケットの取付け構造であって、ブラケットの一端側にブラケット挿入方向に沿った長孔状の切欠部が形成され、バイザー本体の庇部裏面に前記切欠部に対応する係止用突起が設けられていることを特徴としている。
【０００８】
請求項３に記載の発明は、請求項２に記載の自動車用ドアバイザーにおけるブラケット
の取付け構造であって、長孔状の切欠部及び係止用突起がブラケットの幅方向に間隔をあけて複数ずつ形成されていることを特徴としている。
【０００９】
請求項４に記載の発明は、請求項１に記載の自動車用ドアバイザーにおけるブラケットの取付け構造であって、ブラケットの一端側の幅方向両縁に二つの切欠部が相対向して形成され、バイザー本体の庇部裏面に二つの切欠部に対応する係止用突起が相対向して設けられていることを特徴としている。
【発明の効果】
【００１０】
請求項１〜請求項４に記載の発明によれば、ブラケットの一端側を、バイザー本体の庇部裏面と略門型の隆起部との間に形成されたスリットに差し込むだけで、ブラケットとバイザー本体を連結できるので、特別な工具を用いることなしに、ブラケットとバイザー本体を容易に連結でき、連結後の状態において、庇部表面にリベット頭部が露出することもないので、外観が美麗であり、ドアバイザーとしての装飾的効果を損なうことがない。
【００１１】
また、ブラケットとバイザー本体の連結に、金属製リベットやナイロンリベットを用いないため、構成部品点数が少なくて済み、ユーザー側での連結が可能であることと相まって大幅なコストダウンを図り得る。
【００１２】
ドアバイザーを取り外して廃棄する際、ブラケットの弾性復元力に抗して切欠部と係止用突起との係合を外すことができるので、バイザー本体とブラケットとの分別廃棄（樹脂と金属との分別廃棄）が容易である。
【００１３】
殊に、請求項３、４に記載の発明によれば、複数の切欠部と係止用突起とが係合するので、ブラケットとバイザー本体の連結が強固である。
【発明を実施するための最良の形態】
【００１４】
以下、本発明の実施形態を、図面を参照しながら説明する。図１、図２は、本発明に係る自動車用ドアバイザーにおけるブラケットの取付け構造の一例を示す。図１において、Ｄは自動車のドア、ＳはドアＤの上部のサッシュ、１は自動車用ドアバイザー、２は金属製のブラケットである。
【００１５】
自動車用ドアバイザー１は、図２に示すように、合成樹脂製バイザー本体３のフランジ部３ａをドアＤのサッシュＳの上辺部外側面に両面接着テープ４で接合し、サッシュＳの上辺部に装着されたブラケット２の一端側（下端側）をバイザー本体３の庇部３ｂに連結することによって取り付けられている。
【００１６】
バイザー本体３は、例えばポリカーボネート等の透光性合成樹脂を素材とし、射出成形等により作製されたものであり、バイザー本体３の庇部３ｂは、図２に示すように、フランジ部３ａから遠ざかるにつれて外側に位置するように湾曲した断面形状に形成されている。ブラケット２は、例えば帯状の鋼板によって作製されたもので、図３に示すように、ブラケット２の上端側には、サッシュＳの断面形状に対応した屈曲部２ａが形成されており、この屈曲部２ａを、図２に示すように、サッシュＳに下方から係合させることによってサッシュＳの上辺部に装着される。図２に示す５は、サッシュＳの溝内に嵌めこまれたランチャンネルであり、ゴム等の弾性材料によって作製されている。
【００１７】
バイザー本体３とブラケット２とは、次の取付け構造により連結されている。即ち、バイザー本体３の庇部３ｂの裏面には、長手方向の複数位置に、図４に示すように、ブラケット２の横幅に相当する間隔で立ち上がった一対の脚板部６ａとその上端間に位置する横杆６ｂとで断面略門型に形成された隆起部６が一体成形されており、隆起部６の横杆６ｂ
と庇部３ｂ裏面との間には、ブラケット２の一端側を挿入するためのスリット７が形成されている。スリット７の上下幅（横杆６ｂと庇部３ｂ裏面との間隔）はブラケット２の板厚より若干大きく設定されている。
【００１８】
また、バイザー本体３の庇部３ｂの裏面には、各々の隆起部６からブラケット挿入方向へ離れた位置において庇部３ｂ裏面から突出し且つブラケット挿入方向下手側ほど高くなる傾斜面ａを有する係止用突起８が一体成形されている。
【００１９】
一方、ブラケット２の一端側には、図３に示すように、前記係止用突起８と係合する切欠部９が形成されている。図３、図４に示す例では、切欠部９がブラケット挿入方向に沿った長孔状であり、ブラケット２の幅方向中央部に１個だけ形成されている。ブラケット２の一端側は、庇部３ｂ裏面よりも大きな曲率半径の湾曲面（又は平面）に形成されている。
【００２０】
そして、図５、図６に示すように、スリット７へのブラケット２の挿入に伴い、ブラケット２の一端側がブラケット２の弾性復元力に抗して前記傾斜面ａに乗り上げ、係止用突起８を通過した時点で、ブラケット２の弾性復元力によって切欠部９が係止用突起８と係合するように構成されている。従って、この係合状態においては、ブラケット２は、片面の一箇所が横杆６ｂに弾性復元力によって押し付けられ、反対側の面の二箇所（ブラケット２の下端と、横杆６ｂよりも上方に位置する部位）が庇部３ｂ裏面に弾性復元力によって押し付けられることになる。
【００２１】
上記の構成によれば、ブラケット２の一端側を、バイザー本体３の庇部３ｂ裏面と略門型の隆起部６との間に形成されたスリット７に差し込むだけで、ブラケット２とバイザー本体３を連結できるので、特別な工具を用いることなしに、ブラケット２とバイザー本体３を容易に連結でき、連結後の状態において、庇部３ｂ表面にリベット頭部などが露出することもないので、外観が美麗であり、自動車用ドアバイザー１としての装飾的効果を損なうことがない。
【００２２】
また、ブラケット２とバイザー本体３の連結に、金属製リベットやナイロンリベットを用いないため、構成部品点数が少なくて済み、ユーザー側での連結が可能であることと相まって大幅なコストダウンを図り得る。
【００２３】
自動車用ドアバイザー１を取り外して廃棄する際、ブラケット２の弾性復元力に抗して切欠部９と係止用突起８との係合を外すことができるので、バイザー本体３とブラケット２との分別廃棄（樹脂と金属との分別廃棄）が容易である。
【００２４】
図７、図８は、他の実施形態を示し、長孔状の切欠部９及び係止用突起８がブラケット２の幅方向に間隔をあけて２個ずつ形成されている点に特徴がある。この構成によれば、２個の切欠部９と係止用突起８とが係合するので、ブラケット２とバイザー本体３の連結がより強固に行われることになる。その他の構成や作用は、図１〜図６に示した実施形態と同じであるため、説明を省略する。
【００２５】
図９、図１０は、他の実施形態を示し、ブラケット２の一端側の幅方向両縁に二つの切欠部９が相対向して形成され、バイザー本体３の庇部３ｂ裏面に二つの切欠部９に対応する係止用突起８が相対向して設けられていることを特徴としている。この構成によっても、２個の切欠部９と係止用突起８とが係合するので、ブラケット２とバイザー本体３の連結がより強固に行われることになる。その他の構成や作用は、図１〜図６に示した実施形態と同じであるため、説明を省略する。
【００２６】
尚、ブラケット２の屈曲部２ａは、サッシュＳの断面形状に対応して形成されるものであり、図示の形状に限定されるものではない。また、図示した実施形態では、何れも、係止用突起８が傾斜面ａを一辺とする三角形状に形成されているが、傾斜面ａと反対側の立上り面の下端（庇部３ｂ裏面との角部）に、ブラケット２の切欠部９端縁と係合させるためのアンダーカット部を形成して、実施することも可能であり、図示の形状に限定されるものではない。
【図面の簡単な説明】
【００２７】
【図１】本発明に係る自動車用ドアバイザーにおけるブラケットの取付け構造を説明する側面図である。
【図２】図１の２−２線拡大断面図である。
【図３】図２のブラケットの斜視図である。
【図４】図３のブラケットの取付け構造を示す要部の斜視図である。
【図５】ブラケットの取付け方法を説明する要部の拡大断面図である。
【図６】ブラケットの取付け方法を説明する要部の拡大断面図である。
【図７】ブラケットの他の例を示す斜視図である。
【図８】図７のブラケットの取付け構造を示す要部の斜視図である。
【図９】ブラケットの他の例を示す斜視図である。
【図１０】図９のブラケットの取付け構造を示す要部の斜視図である。
【図１１】従来例を説明するための拡大断面図である。
【符号の説明】
【００２８】
２  ブラケット
３  バイザー本体
３ａ  フランジ部
３ｂ  庇部
６  隆起部
７  スリット
８  係止用突起
９  切欠部
【図１】
2005170078.tif 000003
【図２】
2005170078.tif 000004
【図３】
2005170078.tif 000005
【図４】
2005170078.tif 000006
【図５】
2005170078.tif 000007
【図６】
2005170078.tif 000008
【図７】
2005170078.tif 000009
【図８】
2005170078.tif 000010
【図９】
2005170078.tif 000011
【図１０】
2005170078.tif 000012
【図１１】
2005170078.tif 000013